(57)【要約】【課題】スピーカの振動体のような遊技者側を向いた部材をムラ無く照明することで装飾効果を高めることが可能な装飾装置を備えた遊技機を提供する。【解決手段】遊技機（１）は、遊技機本体（２、５）と、遊技機本体の遊技者と対向する側の面に設けられた装飾装置（６）とを有する。装飾装置（６）は、指向性を有する光を放射する光源（１２）と、光源（１２）からの光を拡散反射させる拡散反射面を持つ拡散部材（１１ａ）と、拡散反射面の前方において拡散部材の周囲に配置される導光部材（１３）とを有する。導光部材（１３）は、光源（１２）と対向する入射面（１３ａ）を介して入射した光源（１２）からの光を導光部材（１３）の内部で拡がるよう伝播させることにより、光源（１２）からの光を拡散部材に面した端面（１３ｄ）の広い範囲から拡散反射面（１１ａ）へ向けて出射させる。【選択図】図１
2012105776.tif 000002
【特許請求の範囲】
【請求項１】
遊技機本体と、
前記遊技機本体の遊技者と対向する側の面に設けられた装飾装置とを有し、
前記装飾装置は、
指向性を有する光を放射する少なくとも一つの光源と、
前記光源からの光を拡散反射させる拡散反射面を持つ拡散部材と、
前記拡散反射面の前方において前記拡散部材の周囲に配置される導光部材とを有し、
前記導光部材は、
前記少なくとも一つの光源とそれぞれ対向する少なくとも一つの入射面と、
当該導光部材の前記拡散部材に面した端面とを有し、
前記入射面を介して入射した前記光源からの光を当該導光部材の内部で拡がるよう伝播させることにより、前記光源からの光を前記入射面よりも前記端面の広い範囲から前記拡散反射面へ向けて出射させる、
ことを特徴とする遊技機。
【請求項２】
前記拡散部材はスピーカの振動板であり、前記拡散反射面は前記振動板の音を放射する側の面である、請求項１に記載の遊技機。
【請求項３】
前記導光部材は、
前記入射面を介して前記光源と対向する位置に設けられ、前記光源からの光を前記導光部材の外周の前記入射面を中心として互いに異なる側へ向けて反射する第１及び第２の反射面と、
前記導光部材の外周に設けられ、前記第１の反射面または前記第２の反射面にて反射された光を全反射させて前記導光部材の前記端面へ向ける第３の反射面とを有する、
請求項１または２に記載の遊技機。
【請求項４】
前記導光部材は、当該導光部材の前面側に設けられた出射面をさらに有し、
前記端面は、前記導光部材内から当該端面に達した光の一部を屈折させて前記拡散反射面へ向けて出射させるとともに、当該端面に達した光の他の一部を反射して前記出射面から出射させるように、前記導光部材の前面に近づくほど前記導光部材の内径が小さくなるようにテーパ状に形成される、請求項１〜３の何れか一項に記載の遊技機。
【請求項５】
前記装飾装置は、前記拡散反射面の前面に配置されたカバーをさらに有し、
前記カバーは、光透過性部材により形成され、かつ、当該カバーよりも前面側から前記拡散反射面を直接視認可能な複数の孔が設けられ、当該複数の孔の周囲の少なくとも一部において、前記拡散反射面で拡散反射された光をさらに拡散させる、請求項１〜４の何れか一項に記載の遊技機。
【請求項６】
前記少なくとも一つの光源は、発光色の異なる複数の発光素子を有し、
前記遊技機における遊技状態に応じて、前記複数の発光素子のうちの少なくとも何れかの発光素子を点灯させることで、前記少なくとも一つの光源から発する光の色を変える制御回路をさらに有する、請求項１〜５の何れか一項に記載の遊技機。
【発明の詳細な説明】
【技術分野】
【０００１】
本発明は、光源からの光を用いた装飾装置を備えた遊技機に関する。
【背景技術】
【０００２】
従来より、回胴遊技機または弾球遊技機などの遊技機において、遊技者に対して自己の存在をアピールするために、光源を用いた装飾装置が備えられている。特に、遊技施設では、回胴遊技機が設置されている場所の周辺では、遊技者が回転する発光ドラムの絵柄を視認し易いように、室内照明が暗めに、例えば、遊技施設の通常の室内照明の照度の約１／２の照度となるように調光されている。
また、遊技機の演出に用いられる、臨場感のある効果音を出力するために、遊技機は１個または複数の音響スピーカを備えていることもある。そしてそのような音響スピーカは、遊技者が効果音を聞き易いように、遊技機の外枠の意匠面の前面、特に、その意匠面の上方に設けられる。そのため、音響スピーカは、遊技者にとって視認し易い位置に配置されていることが多い。
【０００３】
そこで、遊技機に設けられた音響スピーカの一部、または音響スピーカの周囲を発光ダイオード（ＬＥＤ）などの光源を用いて照明して、遊技者の興味を引き易いようにした遊技機が提案されている（例えば、特許文献１及び２を参照）。
【０００４】
例えば、特許文献１に開示されたスピーカ装置では、スピーカ本体の前面側に取り付けられるケース部に装飾用のＬＥＤを有する照明部が設けられ、そのＬＥＤから出力される可視光がスピーカのセンタキャップまたはコーンで反射して遊技者に向けて照射されるようになっている。
【０００５】
また、特許文献２に開示されたスピーカーユニットは、音波を発生する振動体と、振動体を内包するとともに振動体を振動させる磁気回路部の装着部を形成したフレームを備える。そしてフレームでは、振動体の外方に位置する周縁部及び振動体が光透過性樹脂により形成され、フレームの後方に位置する発光手段からの光がフレームの周縁部及び振動体を透過するように構成される。
【０００６】
さらに、スピーカとともに光源を用いる装飾装置として、例えば、ラジオカセットプレーヤーなどに設けられるスピーカの周囲に円環状の導光体を配設し、その導光体に、ＬＥＤなどの光源からの光を入射させ、導光体からスピーカの音声出力方向へ向けてその光を出射させるようにした発光装置が提案されている（特許文献３を参照）。
【先行技術文献】
【特許文献】
【０００７】
【特許文献１】特開２００３−１１７０８２号公報
【特許文献２】特開２００９−１１８４６７号公報
【特許文献３】特開平９−２１２１０７号公報
【発明の概要】
【発明が解決しようとする課題】
【０００８】
特許文献１に開示された技術では、コーンを照明するためのＬＥＤがスピーカ本体の前面においてコーンの前に突出するように配置されているので、スピーカ本体のコーンから発せられた音の一部がＬＥＤで反射され、その結果としてスピーカから発せられる音の質が低下してしまう。また、ＬＥＤから発せられる光は、比較的高い指向性を有するので、コーンまたはセンタキャップの照明ムラが生じてしまい、その結果として高い装飾効果が得られないおそれがあった。
【０００９】
また、特許文献２に開示された技術では、光源がスピーカの後方に配置されているので、光源からの光がスピーカ本体の部材により遮られ、コーン全体をムラ無く照明することはできない。また、フレームの周縁部などに光を乱反射させるための加工が施されると、光源からの光のうち、スピーカの前面へ向けて透過する光の割合が減少する。そのため、装飾効果を高めるためには、光源の数を多くするか、高輝度の光源を用いることになるので、光源の消費電力が大きくなってしまう。
【００１０】
さらに、特許文献３に開示された技術では、導光体全体から輝度のムラがないように光を出射させることはできるものの、スピーカ自体は照明されないので、遊技者から見て発光するのはスピーカの周囲だけであり、そのため、高い装飾効果が得られないおそれがあった。
【００１１】
そこで、本発明は、スピーカの振動体のような遊技者側を向いた部材をムラ無く照明することで装飾効果を高めることが可能な装飾装置を備えた遊技機を提供することを目的とする。
【課題を解決するための手段】
【００１２】
本発明の一つの形態として、遊技機が提供される。この遊技機は、遊技機本体と、遊技機本体の遊技者と対向する側の面に設けられた装飾装置とを有する。装飾装置は、指向性を有する光を放射する少なくとも一つの光源と、光源からの光を拡散反射させる拡散反射面を持つ拡散部材と、拡散反射面の前方において拡散部材の周囲に配置される導光部材とを有する。導光部材は、少なくとも一つの光源とそれぞれ対向する少なくとも一つの入射面と、導光部材の拡散部材に面した端面とを有し、入射面を介して入射した光源からの光を導光部材の内部で拡がるよう伝播させることにより、光源からの光を入射面よりも拡散部材に面した端面の広い範囲から拡散反射面へ向けて出射させる。
【００１３】
この装飾装置において、拡散部材はスピーカの振動板であり、拡散反射面は振動板の音を放射する側の面であることが好ましい。
【００１４】
またこの装飾装置において、導光部材は、入射面を介して光源と対向する位置に設けられ、光源からの光を導光部材の外周の入射面を中心として互いに異なる側へ向けて反射する第１及び第２の反射面と、導光部材の外周に設けられ、第１の反射面または第２の反射面にて反射された光を全反射させて導光部材の端面へ向ける第３の反射面とを有することが好ましい。
【００１５】
さらにこの装飾装置において、導光部材は、その導光部材の前面側に設けられた出射面をさらに有し、導光部材の拡散部材に面した端面は、導光部材内からその端面に達した光の一部を屈折させて拡散反射面へ向けて出射させるとともに、その端面に達した光の他の一部を反射して出射面から出射させるように、導光部材の前面に近づくほど導光部材の内径が小さくなるようにテーパ状に形成されることが好ましい。
【００１６】
また装飾装置は、拡散反射面の前面に配置されたカバーをさらに有し、そのカバーは、光透過性部材により形成され、かつ、カバーよりも前面側から拡散反射面を直接視認可能な複数の孔が設けられ、複数の孔の周囲の少なくとも一部において、拡散反射面で拡散反射された光をさらに拡散させることが好ましい。
【００１７】
さらに、装飾装置の少なくとも一つの光源は、発光色の異なる複数の発光素子を有することが好ましい。この場合において、遊技機は、遊技機における遊技状態に応じて、複数の発光素子のうちの少なくとも何れかの発光素子を点灯させることで、少なくとも一つの光源から発する光の色を変える制御回路をさらに有することが好ましい。
【発明の効果】
【００１８】
本発明に係る遊技機は、スピーカの振動体のような遊技者側を向いた部材をムラ無く光らせて装飾効果を高めることができるという効果を奏する。
【図面の簡単な説明】
【００１９】
【図１】本発明の一つの実施形態に係る装飾装置を備えた弾球遊技機の概略構成図である。
【図２】図１に示された弾球遊技機の概略背面図である。
【図３】スピーカ本体が外枠に取り付けられた状態での装飾装置の分解斜視図である。
【図４】（ａ）は、カバーを除いた装飾装置を前方から見た分解斜視図であり、（ｂ）は、カバーを除いた装飾装置を後方から見た分解斜視図である。
【図５】（ａ）は、カバーを除いた装飾装置の概略側面図であり、（ｂ）は、装飾装置の中心を通り、かつ弾球遊技機の前面に直交する面における装飾装置の概略断面図である。
【図６】（ａ）は、導光部材の概略背面図であり、（ｂ）は、（ａ）の領域Ｂの拡大図であり、（ｃ）は、（ａ）の線Ａ−Ａ’における導光部材の概略断面図である。
【図７】（ａ）は、導光部材の一部を側面から見た光線追跡図であり、（ｂ）は、導光部材の一部を正面から見た光線追跡図である。
【図８】変形例による導光部材の概略断面図である。
【発明を実施するための形態】
【００２０】
以下、本発明の一つの実施形態による装飾装置を備えた遊技機を、図を参照しつつ説明する。この遊技機は、スピーカ本体の周囲に設けられた光源からの光を、スピーカ本体の周囲に設けられた導光部材により拡げるとともに、導光部材は、その光の一部をスピーカのコーンへ向けて出射させるとともに、その光の他の一部を遊技者側へ向けて出射させる装飾装置を有する。これにより、この遊技機は、コーン全体をムラ無く照明可能とするとともに、スピーカ本体の周囲を発光させて装飾効果を高める。
【００２１】
図１は、本発明の一つの実施形態に係る装飾装置を備えた弾球遊技機を遊技者側から見た、その弾球遊技機の概略斜視図である。また図２は、図１に示された弾球遊技機１の概略背面図である。弾球遊技機１は、上部から中央部の大部分の領域に設けられた遊技盤２と、下部に配設された玉受け部３及び操作部４と、遊技盤２の外周に配置され、遊技盤２とともに遊技機本体を構成する外枠５と、装飾装置６と、制御回路７と、電源回路８とを有する。さらに弾球遊技機１は、一時的に遊技球を貯留し、制御回路７からの制御信号に応じて所定数の遊技球を玉受け部３へ払い出す玉払い出し装置（図示せず）を有する。
【００２２】
操作部４は、遊技者の操作に応じて、操作部４の回動量に応じて図示しない発射装置より所定の力で遊技球を発射する。発射された遊技球は、遊技盤２の側方に設けられたレール２１に沿って上方へ移動し、遊技盤２上に設けられた多数の障害釘２２の間を落下する。遊技盤２には、障害釘２２の他に、液晶表示装置などで構成され、遊技者に様々な情報を提供する表示装置２３と、表示装置２３の周囲に配置され、遊技の演出に用いられる役物部２４と、遊技球が入ると複数個の遊技球を獲得することができる少なくとも一つの入賞装置２５などが配設されている。そして遊技球が、何れかの入賞装置２５に入ると、制御回路７は、遊技球が入った入賞装置２５に応じた所定個の遊技球を玉払い出し装置（図示せず）を介して球受け部３へ払い出す。さらに制御回路７は、遊技の状態に応じた様々な映像を表示装置２３に表示させる。
【００２３】
本発明の一つの実施形態に係る装飾装置６は、遊技盤２の前面側において、外枠５の左上角及び右上角にそれぞれ一つずつ取り付けられている。そして装飾装置６は、後述するように、スピーカと光源とを有しており、制御回路７からの信号に応じて遊技の状況に応じた音声を出力し、かつ光を明滅させたり、発光色または光量を変化させることで、遊技者の興趣を高めるように構成されている。
【００２４】
次に、装飾装置６について詳細に説明する。
図３は、スピーカ本体が外枠５に取り付けられた状態での装飾装置６の分解斜視図である。なお、図を見易いように簡単化するために、遊技者から見て右側の装飾装置については、カバー以外省略した。また図４（ａ）は、カバーを除いた装飾装置６を前方から見た分解斜視図であり、図４（ｂ）は、カバーを除いた装飾装置６を後方から見た分解斜視図である。さらに、図５（ａ）は、カバーを除いた装飾装置６の概略側面図であり、図５（ｂ）は、装飾装置６の中心を通り、かつ弾球遊技機１の前面に直交する面における装飾装置６の概略断面図である。
図３、図４（ａ）、（ｂ）及び図５（ａ）、（ｂ）に示されるように、装飾装置６は、スピーカ本体１１と、複数の光源１２と、導光部材１３と、基板１４と、カバー１５とを有する。
【００２５】
スピーカ本体１１は、制御回路７から受信した音声信号に応じた音声を出力する。そのために、スピーカ本体１１は、空気振動を発生させる振動板１１ａと、音声信号の波形に応じて振動板１１ａを振動させる磁気回路（図示せず）とを有する。本実施形態において、振動板１１ａは、拡散部材の一例である。振動板１１ａは、不透明な材料、例えば、紙、樹脂あるいは金属などにより、コーン状に形成されている。そして振動板１１ａは、遊技者側から見て、凹状になるように配置される。なお、振動板１１ａの形状はコーン型に限られない。振動板１１ａは、例えば、多角錐状に形成されてもよく、平板若しくはドーム形状を有してもよい。また、振動板１１ａの前面、すなわち、遊技者に対向する側の音波を放射する面は、光源１２からの光を拡散反射する拡散反射面となるように、例えば、粗面化される。
【００２６】
複数の光源１２は、それぞれ、指向性を有する光を発する１個以上の発光素子と駆動回路とを発する。本実施形態では、各光源１２は、発光素子として、赤色ＬＥＤ、緑色ＬＥＤ及び青色ＬＥＤを有する。そして各光源１２は、制御回路７からの制御信号に応じて、全ての発光素子を消灯したり、あるいは、少なくとも一つの発光素子を点灯させる。また、制御回路７は、例えば、パルス幅変調により、各光源１２の発光素子から発する光量を調節してもよい。なお、各光源１２は、発光素子として白色ＬＥＤを有してもよく、あるいは、赤色ＬＥＤ、緑色ＬＥＤまたは青色ＬＥＤのうちの何れか一つを有してもよい。また複数の光源１２が、それぞれ、異なる色の光を発する発光素子を有してもよい。
【００２７】
図４（ｂ）に示されるように、複数の光源１２（本実施形態では６個）は、スピーカ本体１１の外周に沿って略等間隔に、スピーカ本体１１の前面に設けられる基板１４の裏面側に取り付けられる。なお、基板１４の裏面は、装飾装置６が弾球遊技機１に取り付けられた状態で、遊技者と対向せず、遊技盤２の背面を向く面である。そして各光源１２は、その発光面１２ａが導光部材１３の入射面１３ａと対向するように、振動板１１ａの中心を通り、遊技盤２の前面に直交する中心軸に向けて配置される。
なお、装飾装置６が有する光源の個数は、６個に限られず、１個以上であればよい。ただし、光源の個数は、各光源をスピーカ本体１１の外周に沿って略等間隔で配置した場合において、全ての光源が点灯した場合に振動板１１ａがムラ無く照明される最小の個数以上とすることが好ましい。
【００２８】
導光部材１３は、光源１２からの光を拡げ、その拡げられた光の一部でスピーカ本体１１の振動板１１ａを照明するとともに、拡げられた光の他の一部を直接遊技者側へ向けて出射させる。そのために、導光部材１３は、振動板１１ａの外周の形状と略等しい形状を有し、本実施形態では、略リング状の形状を有している。そして導光部材１３の内径は振動板１１ａの外径と略等しい。そして導光部材１３は、基板１４とスピーカ本体１１との間に、すなわち、振動板１１ａよりも前側に振動板１１ａの中心軸と導光部材１３の中心軸が略同軸となるように配置される。このように導光部材１３が配置されることで、導光部材１３は振動板１１ａの前面に突出した部分を有さない。そのため、振動板１１ａからその正面へ向けて発する音波は導光部材１３で遮られないので、振動板１１ａから発する音の質が低下することが防止される。
なお、導光部材１３は、例えば、ポリメチルメタクリレート（ＰＭＭＡ）、ポリカーボネート（ＰＣ）といった、可視光に対して透明な樹脂を成型することにより作成される。または、導光部材１３は、ガラスを研磨あるいは成型することにより作成されてもよい。
【００２９】
図６（ａ）は、導光部材１３の概略背面図であり、図６（ｂ）は、図６（ａ）の領域Ｂの拡大図であり、図６（ｃ）は、図６（ａ）の線Ａ−Ａ’における導光部材１３の概略断面図である。
導光部材１３内には、光源１２と入射面１３ａを介して対向し、光源１２からの光を、導光部材１３内を入射面１３ａの両側へ拡がって伝播させるように、二つの反射面１３ｂ１、１３ｂ２（第１の反射面及び第２の反射面）が形成される。この反射面１３ｂ１、１３ｂ２は、例えば、入射面１３ａの中心を通る、入射面１３ａの法線上に位置する頂点から離れるにつれて反射面１３ｂ１、１３ｂ２が導光部材１３の内周側の端面に近づくように、すなわち、入射面１３ａから見て凸状になるように、その頂点を挟んで入射面１３ａの法線に対して線対称になるように配置される。反射面１３ｂ１、１３ｂ２は、例えば、導光部材１３のその反射面の部分にスリット状のエアギャップを設けることにより形成される。この場合、光源１２からの光の少なくとも一部が反射面１３ｂ１、１３ｂ２にて全反射されるよう、反射面１３ｂ１、１３ｂ２と入射面１３ａの法線とのなす角が調整される。あるいは、反射面１３ｂ１、１３ｂ２は、金属膜を導光部材１３に埋め込むことにより形成されてもよい。
【００３０】
反射面１３ｂ１、１３ｂ２の位置及び形状は、光源１２からの光が入射面１３ａの両側に略均等に拡がるように、光源１２が有する発光素子の指向特性、導光部材１３のサイズ及び屈折率、及び反射面１３ｂ１、１３ｂ２と光源１２の位置関係に基づいて、例えば光線追跡を行って光の拡がりを評価することにより決定される。例えば、反射面１３ｂ１、１３ｂ２は、それぞれ平面鏡であってもよく、あるいは凹面鏡若しくは凸面鏡であってもよい。さらに、その二つの反射面は非球面であってもよい。また入射面１３ａも、平面であってもよく、あるいは、発光面１２ａに対して凸状あるいは凹状の球面または非球面に形成されていてもよい。さらに、入射面１３ａ、反射面１３ｂ１、１３ｂ２は、導光部材１３の中心軸に沿った方向と、円周方向とで異なる曲率を有していてもよい。
なお、反射面１３ｂ１、１３ｂ２は、入射面１３ａの左側へ反射する光の量と入射面１３ａの右側へ反射する光の量を異ならせてもよい。この場合、反射面１３ｂ１、１３ｂ２の形状及び大きさは互いに異なっていてもよい。
【００３１】
反射面１３ｂ１、１３ｂ２で反射された光は、それぞれ、導光部材１３の外周の入射面１３ａの右側及び左側へ向かう。そこで、導光部材１３の外周には、その光を全反射して導光部材１３の内周へ向けるように、導光部材１３の円周方向に沿って鋸波状の反射面１３ｃ（第３の反射面）が形成される。本実施形態では、反射面１３ｃは、入射面１３ａの中心を通るその法線に対して線対称となるように、入射面１３ａの両側に３個ずつ形成される。各反射面１３ｃの大きさ及び各反射面１３ｃと入射面１３ａの法線とのなす角は、光源１２からの光が導光部材１３の内周全体に略均等に拡がるように、例えば光線追跡を行って光の拡がりを評価することにより決定される。そのため、各反射面１３ｃと入射面１３ａの法線とのなす角及び各反射面１３ｃの大きさは、反射面ごとに異なっていてもよい。また各反射面１３ｃは、凹面状、あるいは凸面状に形成されてもよい。
【００３２】
また、導光部材１３の内周側の端面１３ｄは、振動板１１ａの方を向くように形成される。なお、本実施形態において、端面１３ｄが振動板１１ａの方を向くとは、端面１３ｄから振動板１１ａの少なくとも一部が直接見えるように、端面１３ｄが配置されることをいう。そして導光部材１３の外周で反射された光の一部が内周の端面１３ｄで屈折してスピーカ本体１１の振動板１１ａへ向かい、他の一部が端面１３ｄで反射されて導光部材１３の内周に沿って前面側に突出したリング状の突出部１３ｅの出射面１３ｆへ向かうように、端面１３ｄは、背面側の内径が前面側の内径よりも大きくなるテーパ状に形成される。
この内周の端面１３ｄと、導光部材１３の背面とがなす角度は、導光部材１３の屈折率、振動板１１ａの形状及び導光部材１３と振動板１１ａの位置関係に応じて最適化される。
また、光源１２からの光は、向きの異なる二つの反射面１３ｂ１、１３ｂ２で分割反射され、かつ、導光部材１３内で少なくとも２回反射されることで光路長が長くなるので、入射面１３ａよりも端面１３ｄの広い範囲から出射して振動板１１ａへ向かう。そのため、振動板１１ａは、光源１２により直接照明されるよりも広い範囲が照明される。
【００３３】
さらに、導光部材１３の突出部１３ｅの前面側の端面である出射面１３ｆは、端面１３ｄにて反射され、出射面１３ｆを介して導光部材１３から出射する光を拡散するよう粗面処理されることが好ましい。なお、出射面１３ｆに、文字、図形などのデザインに応じた拡散シートなどが貼付されてもよい。
なお、直接遊技者へ向かって光源１２からの光を出射させず、その光の大部分が振動板１１ａを照明するように、導光部材１３の前面側に、例えば、金属の薄膜を蒸着して、導光部材１３の前面に達した光を背面側に反射させてもよい。
【００３４】
図７（ａ）は、導光部材１３の一部を背面から見た、１個の光源についての光線追跡図であり、図７（ｂ）は、図７（ａ）に示された導光部材１３の一部を側面から見た光線追跡図である。図７（ａ）及び図７（ｂ）において、複数の線７０１のそれぞれは、１本の光線を表す。図７（ａ）及び図７（ｂ）に示されるように、光源１２から放射された光は、入射面１３ａを介して導光部材１３内を伝播する。そしてその光の大部分は、反射面１３ｂ１または反射面１３ｂ２で反射され、さらに反射面１３ｃで反射された後、導光部材１３の内周端側へ向かう。反射面１３ｃで反射された光の一部は端面１３ｄで屈折して振動板１１ａ側へ向かい、その光の他の一部は端面１３ｄで反射されて突出部１３ｅから出射する。このように、光源１２からの光は、光源１２の両側へ略均等に拡がり、振動板１１ａがムラ無く照明されることが分かる。
【００３５】
基板１４は、スピーカ本体１１及び導光部材１３の前面側に設けられる。そして基板１４の背面側には、各光源１２が固定されるとともに、ネジなどにより、スピーカ本体１１も固定される。また基板１４には、導光部材１３の前面の突出部１３ｅの外径と略等しい内径を持つ略円形の孔が形成されており、その孔に導光部材１３の突出部が勘合されることにより、導光部材１３が固定される。
さらに基板１４には、弾球遊技機１の外枠５に装飾装置６を取り付けるためのネジ穴などが形成されていてもよい。
【００３６】
カバー１５は、基板１４の前面側に設けられ、外枠５に取り付けられる。そして図３に示されるように、カバー１５には、装飾装置６が外枠５に取り付けられた状態で、スピーカ本体１１の前面に位置する保護部１５ａを有する。保護部１５ａには、メッシュ状の複数の孔１５ｂが形成されており、遊技者がスピーカ本体１１に触るのを防止するとともに、遊技者がその複数の孔１５ｂを介してスピーカ本体１１の振動板１１ａ及び導光部材１３を視認可能となっている。そのため、遊技者は、振動板１１ａにて拡散反射された光及び導光部材１３から出射された光を見ることができる。なお、保護部１５ａは、スリット状に形成されてもよく、あるいは、２次元格子状に形成されてもよい。
【００３７】
カバー１５は、不透明な樹脂、あるいは金属で形成される。ただし、保護部１５ａは、ＰＭＭＡまたはＰＣといった透明な樹脂で形成されてもよい。このように、保護部１５ａが透明な部材で形成されることにより、遊技者は光源１２によって照明された振動板１１ａ全体及び光が出射する突出部１３ｅの前面１３ｆ全体を視認できるので、遊技者の興趣をより高めることができる。さらにまた、保護部１５ａに形成された複数の孔の周囲の少なくとも一部において、保護部１５ａの前面側または背面側の少なくとも何れかの表面が、光を拡散させるよう粗面化されていてもよく、あるいは、保護部１５ａの内部に、光を拡散させるための、保護部１５ａの屈折率と異なる屈折率を持つ高分子または金属などの複数の粒子が包含されていてもよい。
このように、保護部１５ａがさらに光を拡散することで、保護部１５ａから拡散された光と振動板１１ａにより拡散反射された光の組み合わせにより遊技者に立体感を感じさせることができるので、遊技者の興趣をさらに高めることができる。
【００３８】
図２に示されるように、制御回路７及び弾球遊技機１の各部に電力を供給する電源回路８は、遊技盤２の背面に取り付けられる。そして制御回路７は、弾球遊技機１の各部を制御する。そのために制御回路７は、玉払い出し装置（図示せず）などを制御する主制御回路７１と、遊技の状態に応じた画像を表示装置２３に表示させたり、装飾装置６のスピーカ本体１１に対する音声信号を出力する演出制御回路７２と、装飾装置６の各光源１２を制御する光源制御回路７３とを有する。
【００３９】
演出制御回路７２は、例えば、不揮発性の半導体メモリ及び演算回路を有し、その半導体メモリに格納された演出用のプログラム及び遊技の状態に応じて、各光源１２を点灯させるか否か決定する。また各光源１２が互いに発光色の異なる複数の発光素子を有している場合には、演出制御回路７２は、発光素子ごとに点灯するか否かを決定してもよい。さらに演出制御回路７２は、点灯する各発光素子の光量を決定する。例えば、演出制御回路７２は、演出用のプログラム及び遊技の状態に従って決定された、スピーカから発する音量が大きいほど、各光源１２の明滅周期を短くしたり、あるいは発光光量を大きくしてもよい。あるいは、演出制御回路７２は、特定の色の発光が回転して見えるように、各点光源１２が有する特定の色を発光させる発光素子を時計回りまたは反時計回りに順に、一定期間だけ点灯させてもよい。この場合において、演出制御回路７２は、例えば、スピーカから発する音量が大きいほど、特定の色の発光の回転速度が速くなるように、各点光源１２を制御してもよい。
演出制御回路７２は、光源制御回路７３と接続されており、光源制御回路７３へ、各光源１２の各発光素子を点灯させるか消灯させるか、また点灯させる場合の光量を表す光源制御信号を出力する。
【００４０】
光源制御回路７３は、各光源１２が有する駆動回路と接続され、光源制御信号に応じて各光源１２へ、例えば、パルス幅変調方式により、その光源１２が有する発光素子を所定の光量で点灯または消灯させる駆動信号を出力する。なお、光源制御回路７３として、例えば、発光素子を制御する公知の様々な制御回路の何れかを用いることができるので、光源制御回路７３の詳細な構成についての説明は省略する。
【００４１】
以上に説明してきたように、この遊技機が有する装飾装置は、ＬＥＤのような消費電力が少ない複数の光源を用いてスピーカ本体の振動板をムラ無く照明できる。そのため、この遊技機は、高い装飾効果を得ることができる。またこの遊技機が有する装飾装置は、光源及び導光部材は振動板の周囲に配置されており、振動板の正面に突出していないので、スピーカ本体から出力される音が光源及び導光部材によって歪むことを抑制できる。
【００４２】
なお、本発明は上記の実施形態に限定されるものではない。例えば、各光源は、スピーカ本体の振動板及び導光部材よりも遊技盤の背面側に、スピーカ本体の外周に沿って配置されてもよい。
図８は、この変形例による導光部材の概略断面図である。この変形例による導光部材３３は、入射面３３ａ及びその近傍の外周の形状を除いて、上記の実施形態による導光部材１３と同様の形状を有する。この変形例では、光源１２は、その発光面１２ａが遊技盤の前面に向くように配置される。そして導光部材３３の入射面３３ａは、光源１２の発光面１２ａと対向するように、遊技盤の背面側に向けられる。そして導光部材３３の入射面３３ａと対向する、導光部材の前面側の端部３３ｂは、入射面３３ａを介して入射した光源１２からの光を全反射して、その光が導光部材３３の内周側へ向かうようにテーパ状に形成される。
【００４３】
さらに、他の実施形態によれば、導光部材は複数の部材により形成されてもよい。例えば、装飾装置は、一つの光源ごとに、その光源の発光面と対向する入射面の法線を中心として左右対称に形成される一つの導光部材を有してもよい。この場合、各導光部材は、例えば、図６（ａ）に示された一つの導光部材を、隣接する光源間の中心とその導光部材の中心を結ぶ線で切断した形状を有する。そして、複数の光源が、振動板の外周に沿って略等間隔に配置され、また各光源に対応する導光部材も振動板の外周を囲むように配置される。
【００４４】
また、他の実施形態によれば、導光部材から出射した光により照明される拡散反射部材は、スピーカの振動板でなくてもよい。例えば、拡散反射部材は、遊技盤の外枠の一部分であってもよい。この場合も、拡散反射部材は、遊技者側に向けて凹面あるいは凸面となるコーン形状、多角錐形状あるいは半球形状を有していてもよい。そして拡散反射部材の表面は、光を拡散反射するように粗面処理される。また、カバーは省略されてもよい。
【００４５】
また、上記の実施形態またはその変形例による装飾装置を備えた遊技機は、回胴遊技機、あるいはその他の遊技機であってもよい。さらに、装飾装置の位置は、外枠の左右の上端の角に限られない。装飾装置は、外枠または遊技盤上の遊技者が視認可能な位置に、拡散反射部材の拡散反射面が遊技者の方を向くように取り付けることができる。
【００４６】
このように、当業者は、本発明の範囲内で、実施される形態に合わせて様々な変更を行うことができる。
【符号の説明】
【００４７】
１    弾球遊技機
２    遊技盤
３    玉受け部
４    操作部
５    外枠
６    装飾装置
７    制御回路
８    電源
１１    スピーカ本体
１２    光源
１２ａ    発光面
１３    導光部材
１３ａ    入射面
１３ｂ１、１３ｂ２    反射面（第１の反射面、第２の反射面）
１３ｃ    反射面（第３の反射面）
１３ｄ    端面
１３ｅ    突出部
１３ｆ    出射面
１４    基板
１５    カバー
１５ａ    保護部
２１    レール
２２    障害釘
２３    表示装置
２４    役物部
２５    入賞装置
【図１】
2012105776.tif 000003
【図２】
2012105776.tif 000004
【図３】
2012105776.tif 000005
【図４】
2012105776.tif 000006
【図５】
2012105776.tif 000007
【図６】
2012105776.tif 000008
【図７】
2012105776.tif 000009
【図８】
2012105776.tif 000010